(57)【特許請求の範囲】
【請求項１】
器物を建物の壁面に固定するための転倒防止用固定装置であって、
少なくとも長尺の支柱部材を有し、
上記支柱部材が、壁面に沿って配置して該壁面に固定される壁面固定片と、該壁面固定片に幅方向の一端を接して起立する器物固定片とを有し、
上記壁面固定片が、長尺方向両端部に、壁面の天井側部及び床側部に固定するための孔を有し、
上記器物固定片が、器物を支柱部材に固定するための孔を有している
ことを特徴とする器物の転倒防止用固定装置。
【請求項２】
上記器物固定片と器物とを連結して固定する連結具をさらに有する請求項１に記載の器物の転倒防止用固定装置。
【請求項３】
請求項１または２に記載の転倒防止用固定装置を用いた器物の転倒防止用固定構造であって、
建物の壁面に沿って器物が配置され、該壁面に沿った該器物の背面の両端辺に沿ってそれぞれ支柱部材が配置され、該支柱部材の壁面固定片が壁面の天井側部及び床側部において該壁面に固定され、
上記器物が上記支柱部材の器物固定片に固定されていることを特徴とする器物の転倒防止用固定構造。
【請求項４】
請求項１または２に記載の転倒防止用固定装置を用いた器物の転倒防止用固定構造であって、
器物の背面及び一側面が建物の入隅部を構成する２壁面に沿うように該器物が配置され、該器物の背面の入隅部とは反対側の側面に沿った端辺と、上記器物の一側面の入隅部とは反対側の前面に沿った端辺とに沿ってそれぞれ支柱部材が配置され、該支柱部材の壁面固定片が壁面の天井側部及び床側部において該壁面に固定され、
上記器物が上記支柱部材の器物固定片に固定されていることを特徴とする器物の転倒防止用固定構造。
【請求項５】
上記器物が上記支柱部材の器物固定片に連結具を介して連結固定されている請求項３または４に記載の器物の転倒防止用固定構造。
【請求項６】
請求項１または２に記載の転倒防止用固定装置を用い、建物の壁面に沿って器物を配置して固定する器物の転倒防止用固定方法であって、
建物の壁面の、固定する器物の背面の両端辺にそれぞれ対応する位置に沿って支柱部材の壁面固定片を配置し、
上記壁面固定片の長尺方向両端部に形成された孔を介して壁面の天井側部及び床側部において該壁面固定片を該壁面に固定した後、
上記支柱部材の器物固定片に合わせて且つ壁面に沿って器物を配置し、
上記器物を支柱部材の器物固定片の孔を介して該器物固定片に固定することを特徴とする器物の転倒防止用固定方法。
【請求項７】
請求項１または２に記載の転倒防止用固定装置を用い、建物の入隅部を構成する２壁面に器物の背面及び一側面が沿うように該器物を配置して固定する器物の転倒防止用固定方法であって、
建物の入隅部を構成する２壁面の、固定する上記器物の背面の上記入隅部とは反対側の側面に沿った端辺に対応する位置と、上記器物の一側面の入隅部とは反対側の前面に沿った端辺に対応する位置とに沿ってそれぞれ支柱部材の壁面固定片を配置し、
上記壁面固定片の長尺方向両端部に形成された孔を介して壁面の天井側部及び床側部において該壁面固定片を該壁面に固定した後、
上記支柱部材の器物固定片に合わせて且つ壁面に沿って器物を配置し、
上記器物を支柱部材の器物固定片の孔を介して該器物固定片に固定することを特徴とする器物の転倒防止用固定方法。
【請求項８】
請求項１または２に記載の転倒防止用固定装置を用い、建物の壁面に沿って配置した器物の転倒防止用固定方法であって、
上記壁面に沿った上記器物の背面の両端辺に支柱部材の器物固定片を合わせると同時に壁面に壁面固定片を沿わせて該支柱部材を配置し、
上記支柱部材の壁面固定片の長尺方向両端部に形成された孔を介して壁面の天井側部及び床側部において該壁面固定片を該壁面に固定し、
上記器物を支柱部材の器物固定片の孔を介して該器物固定片に固定することを特徴とする器物の転倒防止用固定方法。
【請求項９】
請求項１または２に記載の転倒防止用固定装置を用い、建物の入隅部を構成する２壁面に背面及び一側面が沿うように配置された器物の転倒防止用固定方法であって、
上記器物の背面の入隅部とは反対側の側面に沿った端辺と、上記器物の一側面の入隅部とは反対側の前面に沿った端辺とにそれぞれ支柱部材の器物固定片を合わせると同時に壁面に壁面固定片を沿わせて該支柱部材を配置し、
上記支柱部材の壁面固定片の長尺方向両端部に形成された孔を介して壁面の天井側部及び床側部において該壁面固定片を該壁面に固定し、
上記器物を支柱部材の器物固定片の孔を介して該器物固定片に固定することを特徴とする器物の転倒防止用固定方法。
【請求項１０】
上記器物を、上記支柱部材の器物固定片に連結具を介して連結固定する請求項６〜１０のいずれかに記載の器物の転倒防止用固定方法。
【発明の詳細な説明】
【技術分野】
【０００１】
地震などによる家具等の転倒を防止するために家具を壁面に固定する装置と該装置を用いた固定構造及び固定方法に関する。
【背景技術】
【０００２】
近年、地震により多大な被害が発生している。特に、都市部では、居住空間が狭く、家具の転倒によって、住人が非常に危険な状況に晒される事が大きな問題となっている。そこで、従来より、地震による家具の転倒を防ぐための各種装置が提案されている。家具と長押を直接金具で固定したり、金具の間にベルトを渡して係合する固定具（特許文献１〜３参照）、家具と天井の間を支えるつっぱり具（特許文献４及び５参照）、家具の下に敷く滑り止め具（特許文献６参照）などが広く知られている。また、壁にレールを固定し、そのレールと家具を連接する固定具（特許文献７参照）を用いることにより、室内面に固定具の締結孔などを残さないようにした固定方法もある。
【０００３】
しかしながら、家族のあり方の変容に伴って住宅の様式も変わり、和室であっても長押が無くなり、天井高の高い構造が増えている昨今、金具やベルトによる固定具は取り付けられない住宅も多くなっている。たとえ長押があったとしても団地サイズ等小さく設計された住宅では家具の高さと長押の位置が合わず、また、整理箪笥やサイドボードでは長押や天井までに距離があり、すべての家具に使えるわけではなかった。つっぱり具は天井内を構成する桟などの天井下地の直下にあてがって天井を下から持ち上げるようにして支えることによって初めて効力が発揮されるものであるが、一般人にはこの所在を正確に探し当てることは難しく、折角つっぱり具をあてがっても天井板にただくっついているだけで支えになっていない等ということにもなりかねない。また、レール等を壁に固定し、そのレールと家具を連接する固定具もあるが、レールを固定するために下地補強を行なったり、レールを固定する下地を正確に探し当てるのは難しく、作業性が非常に悪かった。このため設置は高価であった。また、壁に家具固定を行うためのビス穴が出来てしまい、家具などを変更した時にもこの孔跡が残ってしまい美観を損ねる場合があった。
【０００４】
【特許文献１】特開平６−２３７８３０号公報
【特許文献２】特開平９−２８５３５５号公報
【特許文献３】特開平９−３２２８３６号公報
【特許文献４】特開平８−２２８８６９号公報
【特許文献５】特開平８−２５２１３９号公報
【特許文献６】特開平８−３３２１３１号公報
【特許文献７】特開平９−１００５５号公報
【発明の開示】
【発明が解決しようとする課題】
【０００５】
本発明の課題は、家具類の壁面への固定作業性に優れ、且つ家具類の配置や高さを選ばず、移動が容易で安価に対応できる家具類の転倒防止用固定装置と該固定装置を用いた固定方法、さらには固定構造を提供することを目的とする。
【課題を解決するための手段】
【０００６】
本発明の第１は、器物を建物の壁面に固定するための転倒防止用固定装置であって、
少なくとも長尺の支柱部材を有し、
上記支柱部材が、壁面に沿って配置して該壁面に固定される壁面固定片と、該壁面固定片に幅方向の一端を接して起立する器物固定片とを有し、
上記壁面固定片が、長尺方向両端部に、壁面の天井側部及び床側部に固定するための孔を有し、
上記器物固定片が、器物を支柱部材に固定するための孔を有している
ことを特徴とする。
【０００７】
上記固定装置においては、上記器物固定片と器物とを連結して固定する連結具をさらに有することが好ましい。
【０００８】
本発明の第２は、上記本発明の固定装置を用いた器物の転倒防止用固定構造であって、
建物の壁面に沿って器物が配置され、該壁面に沿った該器物の背面の両端辺に沿ってそれぞれ支柱部材が配置され、該支柱部材の壁面固定片が壁面の天井側部及び床側部において該壁面に固定され、
上記器物が上記支柱部材の器物固定片に固定されていることを特徴とする。
【０００９】
本発明の第３は、上記本発明の固定装置を用いた器物の転倒防止用固定構造であって、
器物の背面及び一側面が建物の入隅部を構成する２壁面に沿うように該器物が配置され、該器物の背面の入隅部とは反対側の側面に沿った端辺と、上記器物の一側面の入隅部とは反対側の前面に沿った端辺とに沿ってそれぞれ支柱部材が配置され、該支柱部材の壁面固定片が壁面の天井側部及び床側部において該壁面に固定され、
上記器物が上記支柱部材の器物固定片に固定されていることを特徴とする。
【００１０】
また、本発明の固定構造においては、器物と支柱部材の器物固定片とが連結具を用いて連結固定されていることも好ましい形態である。
【００１１】
本発明の第４は、上記本発明の転倒防止用固定装置を用い、建物の壁面に沿って器物を配置して固定する器物の転倒防止用固定方法であって、
建物の壁面の、固定する器物の背面の両端辺にそれぞれ対応する位置に沿って支柱部材の壁面固定片を配置し、
上記壁面固定片の長尺方向両端部に形成された孔を介して壁面の天井側部及び床側部において該壁面固定片を該壁面に固定した後、
上記支柱部材の器物固定片に合わせて且つ壁面に沿って器物を配置し、
上記器物を支柱部材の器物固定片の孔を介して該器物固定片に固定することを特徴とする。
【００１２】
本発明の第５は、上記本発明の転倒防止用固定装置を用い、建物の入隅部を構成する２壁面に器物の背面及び一側面が沿うように該器物を配置して固定する器物の転倒防止用固定方法であって、
建物の入隅部を構成する２壁面の、固定する上記器物の背面の入隅部とは反対側の側面に沿った端辺に対応する位置と、上記器物の一側面の入隅部とは反対側の前面に沿った端辺に対応する位置とに沿ってそれぞれ支柱部材の壁面固定片を配置し、
上記壁面固定片の長尺方向両端部に形成された孔を介して壁面の天井側部及び床側部において該壁面固定片を該壁面に固定した後、
上記支柱部材の器物固定片に合わせて且つ壁面に沿って器物を配置し、
上記器物を支柱部材の器物固定片の孔を介して該器物固定片に固定することを特徴とする。
【００１３】
本発明の第６は、上記本発明の転倒防止用固定装置を用い、建物の壁面に沿って配置した器物の転倒防止用固定方法であって、
上記壁面に沿った上記器物の背面の両端辺に支柱部材の器物固定片を合わせると同時に壁面に壁面固定片を沿わせて該支柱部材を配置し、
上記支柱部材の壁面固定片の長尺方向両端部に形成された孔を介して壁面の天井側部及び床側部において該壁面固定片を該壁面に固定し、
上記器物を支柱部材の器物固定片の孔を介して該器物固定片に固定することを特徴とする。
【００１４】
本発明の第７は、上記本発明の転倒防止用固定装置を用い、建物の入隅部を構成する２壁面に背面及び一側面が沿うように配置された器物の転倒防止用固定方法であって、
上記器物の背面の入隅部とは反対側の側面に沿った端辺と、上記器物の一側面の入隅部とは反対側の前面に沿った端辺とにそれぞれ支柱部材の器物固定片を合わせると同時に壁面に壁面固定片を沿わせて該支柱部材を配置し、
上記支柱部材の壁面固定片の長尺方向両端部に形成された孔を介して壁面の天井側部及び床側部において該壁面固定片を該壁面に固定し、
上記器物を支柱部材の器物固定片の孔を介して該器物固定片に固定することを特徴とする。
【００１５】
上記本発明の固定方法においては、器物と支柱部材の器物固定片とを連結具を用いて連結固定することも好ましい形態である。
【００１６】
尚、本発明において、「壁面の天井側部及び床側部に固定する」とは、本装置を壁上下２端で支持するために固定することをいい、固定の方法は、後述する実施形態に示すように壁下地に釘、ビスなどで固定するから、「天井側部及び床側部」は、下地材に対応する位置であることが必要である。
【発明の効果】
【００１７】
本発明によれば、以下の効果が得られる。
【００１８】
（１）本発明の固定装置は、非常に簡素な構成で固定する家具類の高さや奥行きといった形状の違いに応じたバリエーションが不要であり、また、支柱部材と家具類とを連結する連結具としても既存の部材を用いることが可能であるため、安価に提供することができる。
【００１９】
（２）本発明の固定装置は、壁面の天井側部及び床側部の裏面に配置した下地材に支柱部材の上下両端部を固定するため、地震発生時には壁面から支柱部材に伝わる振動が、該支柱部材の弾性力によって緩和され、家具を固定したことによる作用と相俟って高い転倒防止効果が得られる。
【００２０】
特に、下地材が配置されている天井側端部及び床側端部において支柱部材を固定した場合には、壁面裏側に所定の間隔で配置した横桟などの下地材を捜す必要がなく、固定作業が簡易であり、横桟がない構造であっても固定することができる。また、支柱部材を取り外した後の壁面に目立つ孔などを残す恐れがない。
【００２１】
（３）本発明の固定方法においては、既に配置した家具を移動することなく固定することができる。
【００２２】
（４）本発明の固定装置の支柱部材は床面から天井面に至る長尺であるため、固定する家具の高さが変わった場合でも同じ支柱部材を用いることができ、また、高さの異なる家具が隣接する場合には、その間に支柱部材を１本固定すれば両方の家具の固定に用いることができ、安価に且つ効率よく固定することができる。
【発明を実施するための最良の形態】
【００２３】
以下、本発明を図面を参照しながら説明する。
【００２４】
図１−１〜図１−６は、本発明の固定装置を用いて家具３を壁面６に固定した固定構造の実施形態を示す斜視図であり、壁面６の壁下地が木下地１である場合を示す。
【００２５】
本発明においては、図１−１に示すように、基本的に長尺の支柱部材５を建物の壁面６に固定し、該支柱部材５に被固定物である家具３などの器物を固定する。以下、家具３を固定する場合を例に挙げて説明する。
【００２６】
木下地３等壁下地は壁面６の裏側に位置し、少なくとも壁面６の天井側端部と床側端部に配置されており、その位置は壁面６の表側から容易に特定することができる。本発明においては支柱部材５を壁面６の天井側部と床側部において、石膏ボード２等壁材を介して壁下地に固定する。よって、支柱部材５を壁面６の天井側端部と床側端部において固定すれば、容易に木下地３に固定することができ、横桟等の壁下地を捜す必要がなく、好ましい。
【００２７】
本発明において支柱部材５と家具３とは、支柱部材５に設けた孔（後述）を用いて直接ビスにより固定してもかまわないが、別途連結具を用いて連結固定する方法も好ましく用いられる。図１−１〜図１−６はいずれも連結具を用いて連結固定した例である。具体的には、図１−１はベルト７の一端を支柱部材５に固定し、他端を家具３の側面４に固定した例、図１−２はワイヤー９の一端を支柱部材５に固定し、他端を家具３の側面４に固定した例、図１−３は木製或いは金属製の連結部材９を家具３の上面１０に押し当てて両端を支柱部材５に固定した例、図１−４はＬ字形金具１１の一片を家具３の裏面に取り付け、他片を支柱部材５に固定した例、図１−５はＬ字形金具１１の一片を家具３の上面１０に取り付け、他片を支柱部材５に固定した例、図１−６はゴム等のずり止めを配したベルト１２の一端を一方の支柱部材５に固定し、家具３の側面、上面、側面に掛け渡して他端を他方の支柱部材５に固定した例である。図１−６の固定構造は、家具３を傷つけることなく固定することができる。また、上記の固定構造は、家具３の下に滑り止めを敷くことによってより高い転倒防止効果が得られる。
【００２８】
図１−１〜図１−６に例示したベルト７，１２、ワイヤー９、Ｌ字金具１１などは市販されている部材を用いることができる。
【００２９】
本発明において、支柱部材５を壁面６に固定する際の好ましい固定部周辺の断面模式図を図２，図３に示す。図２は壁面６の床側端部周辺を、図３は壁面６の天井側端部周辺を示し、図中（ａ）は壁下地が木下地１である場合を、（ｂ）は壁下地が軽量鉄材下地である場合を示す。
【００３０】
図２（ａ）に示すように、壁面６の床側端部において木下地１は床にビス（不図示）で固定されており、壁材としての石膏ボード２及び巾木２２はビス止め、釘打ち、或いは接着剤などにより木下地１に固定される。本発明に係る支柱部材５は石膏ボード２を介して木下地１に固定される。支柱部材５には木下地１に固定するための孔５ｂが設けられており、該孔５ｂを用いてビス２３によりビス止めする。或いは、釘打ちによって固定しても良い。用いられるビス２３は石膏ボード２（厚み１２．５ｍｍ）を貫通させる場合（図示なし）、長さが３０ｍｍ以上の木ネジが好ましく、図２の場合のように石膏ボード２（厚み１２．５ｍｍ）、廻り縁３２（１２ｍｍ）を貫通させる場合、４５ｍｍ以上である。ビス２３を壁下地１に十分ネジ込ませて、地震時に作用する引抜力を負担可能にするためである。
【００３１】
図２（ｂ）に示すように、壁下地が軽量鉄材下地である場合も実質的に図２（ａ）の木下地と同様に支柱部材５が壁面６の床側端部に固定される。軽量鉄材下地は図２（ｂ）に示すように、立ち上がり寸法４０ｍｍのランナー２５がベースベニア材２６上に構成され、該ランナー２５に下端を挟持されるようにスタッド２４が立設されて、両面に石膏ボード２が貼られる。支柱部材５は、木下地１の場合と同様に、ビス２３により孔５ｂ、巾木２２、石膏ボード２を介して壁下地であるランナー２５，スタッド２４に固定される。
【００３２】
尚、図２に示すように、一般的に壁面６の床側端部には壁面６と床仕上げ２１との見切りとして巾木２２が付設される場合が多いが、本発明においては該巾木２２は有ってもなくても良い。
【００３３】
一方、図３（ａ）に示すように、壁面６の天井側端部においては、木下地１は野縁３１に固定されており、石膏ボード２及び廻り縁３２はビス止め、釘打ち、或いは接着剤などにより木下地１に固定される。本発明に係る支柱部材５は、床側端部と同様に、石膏ボード２を介して木下地１に固定される。支柱部材５には木下地１に固定するための孔５ｃが設けられており、該孔５ｃを用いてビス２３によりビス止めする。或いは、釘打ちによって固定しても良い。用いられるビス２３は石膏ボード２（厚み１２．５ｍｍ）を貫通させる場合（図示なし）、長さが３０ｍｍ以上の木ネジが好ましく、図２の場合にように石膏ボード２（厚み１２．５ｍｍ）、廻り縁３２（１２ｍｍ）を貫通させる場合、４５ｍｍ以上である。ビス２３を壁下地１に十分ネジ込ませて、地震時に作用する引抜力を負担可能にするためである。
【００３４】
図３（ｂ）に示すように、壁下地が軽量鉄材下地である場合の天井側端部は図２（ｂ）と同様であり、立ち上がり寸法４０ｍｍのランナー２５が野縁３１に固定されており、該ランナー２５に上端を挟持されるようにスタッド２４が立設されて両面に石膏ボード２が貼られる。支柱部材５は、木下地１の場合と同様に、ビス２３により孔５ｃ、廻り縁３２、石膏ボード２を介して壁下地であるランナー２５，スタッド２４に固定される。
【００３５】
尚、図３に示すように、一般的に壁面６の天井側端部には壁面６と天井仕上げ３３との見切りとして廻り縁３２が付設される場合が多いが、本発明においては該廻り縁３２は有ってもなくても良い。
【００３６】
本発明にかかる支柱部材５について、図４を参照しながら詳細に説明する。図４中、（ａ）は斜視図、（ｂ）及び（ｃ）は側面図、（ｄ）〜（ｇ）は正面図である。
【００３７】
支柱部材５は、壁面６に取り付けた際に、壁面６に平行に配置する壁面固定片５Ｂと、該壁面固定片５Ｂに幅方向一端を接して壁面６の法線方向に突出する器物固定片５Ａとからなる。各片５Ａ，５Ｂは厚さ０．５〜２．０ｍｍ程度で、ステンレスや鉄、鋼板、化粧鋼板などからなる。器物固定片５Ａの幅方向一端が壁面固定片５Ｂの幅方向端部に位置する場合は支柱部材５の水平断面はＬ字形となり、該端部以外の内側に位置する場合は支柱部材５の水平断面はＴ字形になる。図４（ａ）は水平断面がＴ字形の例である。
【００３８】
図４（ｂ）、（ｃ）に示すように、器物固定片５Ａには所定の間隔で器物固定用の孔５ａが形成されており、該孔５ａを用いて支柱部材５と家具３とを固定する。尚、孔５ａは図４（ａ）の円形、（ｂ）の長円形に限定されるものではなく、矩形などであってもかまわない。このように、孔５ａが上下方向に複数個形成されているため、固定する家具３の高さが変わった場合でも固定する孔５ａの位置を変えることで容易に対応できる。また、１本の支柱部材５の両側に高さの異なる家具３を配置した場合には、それぞれの家具の高さに応じた位置の孔５ａを選択して固定することにより、１本の支柱部材５で対応することができる。
【００３９】
また、図４（ｄ）〜（ｇ）に示すように、壁面固定片５Ｂには上下両端部に壁面固定用の孔５ｃ、５ｂが形成されている。図４（ｄ）〜（ｆ）は水平断面がＴ字形の場合であり、器物固定片５Ａを挟んで両側に孔５ｂ、５ｃが形成されている。また、図４（ｇ）は水平断面がＬ字形の場合であり、既に配置された家具３を移動させることなく該家具３に隣接して該支柱部材５を固定する際に、家具３の背面と壁面６との隙間が小さく、壁面固定片５Ｂを家具３の背面に挿入できない場合に用いられる。また、図４（ｅ）、（ｆ）は孔５ｂ、或いは孔５ｂと５ｃを片側のみ２個形成することにより、ビス止め作業が困難な位置に取り付ける際に、作業が容易な側でのみビス止めできるように構成した例である。
【００４０】
尚、図４（ｄ）〜（ｇ）においては孔５ｂ、５ｃを円形としたが、特にこの形状に限定されるものではなく、長円形や矩形であってもかまわない。
【００４１】
本発明においては、図４に示したように、支柱部材５の上下両端部に形成された孔５ｂ、５ｃにより壁面６の床側部及び天井側部に該支柱部材５が固定される。従って、該支柱部材５は上下両端部でのみ壁面６に固定されているため、地震発生時には壁面６から該支柱部材５に固定された家具３に伝わる振動が、支柱部材５の弾性力によって緩和され、家具３を固定したことによる作用と相俟って高い転倒防止効果が得られる。
【００４２】
次に、図５を参照して本発明の固定方法について説明する。
【００４３】
本発明の固定方法としては、基本的に、支柱部材を先に壁面に取り付けた後、該支柱部材に家具を取り付ける方法〔下記（１）、（２）〕と、既に配置された家具に合わせて支柱部材を壁面に取り付けて、該家具を該支柱部材に取り付ける方法〔下記（３）、（４）〕とがあり、さらに、それぞれにおいて、壁面に器物の背面を沿わせて配置する場合〔下記（１）、（３）〕と、入隅部を構成する２壁面に器物の背面と一側面とを沿わせて配置する場合〔下記（２）、（４）〕がある。より詳しくは以下の通りである。
【００４４】
（１）建物の壁面に沿って器物を配置して固定する器物の転倒防止用固定方法であって、
建物の壁面の、固定する器物の背面の両端辺にそれぞれ対応する位置に沿って支柱部材の壁面固定片を配置し、
上記壁面固定片の長尺方向両端部に形成された孔を介して壁面の天井側部及び床側部において該壁面固定片を該壁面に固定した後、
上記支柱部材の器物固定片に合わせて且つ壁面に沿って器物を配置し、
上記器物を支柱部材の器物固定片の孔を介して該器物固定片に固定する。
【００４５】
（２）建物の入隅部を構成する２壁面に器物の背面及び一側面が沿うように該器物を配置して固定する器物の転倒防止用固定方法であって、
建物の入隅部を構成する２壁面の、固定する上記器物の背面の入隅部（上記一側面）とは反対側の側面に沿った端辺に対応する位置と、上記器物の一側面の入隅部（上記背面）とは反対側の前面に沿った端辺に対応する位置とに沿ってそれぞれ支柱部材の壁面固定片を配置し、
上記壁面固定片の長尺方向両端部に形成された孔を介して壁面の天井側部及び床側部において該壁面固定片を該壁面に固定した後、
上記支柱部材の器物固定片に合わせて且つ壁面に沿って器物を配置し、
上記器物を支柱部材の器物固定片の孔を介して該器物固定片に固定する。
【００４６】
（３）建物の壁面に沿って配置した器物の転倒防止用固定方法であって、
上記壁面に沿った上記器物の背面の両端辺に支柱部材の器物固定片を合わせると同時に壁面に壁面固定片を沿わせて該支柱部材を配置し、
上記支柱部材の壁面固定片の長尺方向両端部に形成された孔を介して壁面の天井側部及び床側部において該壁面固定片を該壁面に固定し、
上記器物を支柱部材の器物固定片の孔を介して該器物固定片に固定する。
【００４７】
（４）建物の入隅部を構成する２壁面に背面及び一側面が沿うように配置された器物の転倒防止用固定方法であって、
上記器物の背面の入隅部（上記一側面）とは反対側の側面に沿った端辺と、上記器物の一側面の入隅部（上記背面）とは反対側の前面に沿った端辺とにそれぞれ支柱部材の器物固定片を合わせると同時に壁面に壁面固定片を沿わせて該支柱部材を配置し、
上記支柱部材の壁面固定片の長尺方向両端部に形成された孔を介して壁面の天井側部及び床側部において該壁面固定片を該壁面に固定し、
上記器物を支柱部材の器物固定片の孔を介して該器物固定片に固定する。
【００４８】
図５（ａ）は上記（１）で固定する方法であり、壁面６に予め家具３の幅に対応した距離を置いて水平断面がＴ字形の支柱部材５を固定し、次いで家具３を配置してそれぞれ左右の支柱部材５に固定する例である。中央の支柱部材５は左右の家具３の固定に兼用される。
【００４９】
図５（ｂ）は上記（３）と（１）を組み合わせて固定する方法であり、壁面６に沿って配置されている家具３を動かさずに、該家具３に隣接して水平断面がＬ字形の支柱部材５’を壁面６に固定し、該家具３を該支柱部材５’に固定した後、水平断面がＴ字形の支柱部材５を家具３より所定の距離を置いて壁面６に固定し、新たな家具３’を壁面６に沿って配置して左右の支柱部材５，５’に固定する例である。
【００５０】
図５（ｃ）は部屋の入隅部に上記（２）で固定する方法であり、壁面６に予め家具３の幅及び奥行きに対応した距離を置いて水平断面がＴ字形の支柱部材５を固定し、次いで家具３を配置してそれぞれ支柱部材５に固定する例である。
【００５１】
図５（ｄ）は部屋の入隅部に上記（４）と（２）を組み合わせて固定する方法であり、入隅部に配置されている家具３を動かさずに、該家具３に隣接して水平断面がＬ字形の支柱部材５’を壁面６に固定し、該家具３を該支柱部材５’に固定した後、水平断面がＴ字形の支柱部材５を家具３より所定の距離を置いて壁面６に固定し、新たな家具３’を壁面６に沿って配置して左右の支柱部材５，５’に固定する例である。
【実施例】
【００５２】
本発明の装置を用いた震動台による試験を行った。
【００５３】
振動台は名古屋大学所有の、Ａｋａｓｈｉ製「鉛直・水平同時振動発生装置」を使用し、振動台の上に、鉄骨造の１階分を施工し、その内部の居室で家具の振動試験を実施した。
【００５４】
震動台に載せた家具寸法と重量は、以下である。
【００５５】
（１）巾９３０ｍｍ×高さ１２０５．５ｍｍ×奥行３００ｍｍ、重量９８ｋｇ（本体２６Ｋｇ＋錘重量７２Ｋｇ）
（２）巾９３０ｍｍ×高さ１７７５．５ｍｍ×奥行３００ｍｍ、重量１２４．５ｋｇ（本体３４．５Ｋｇ＋錘重量９０Ｋｇ）
（３）巾９３０ｍｍ×高さ２３４５．５ｍｍ×奥行３００ｍｍ、重量１５６．５ｋｇ（本体４８．５Ｋｇ＋錘重量１０８Ｋｇ）
【００５６】
地震波として、芸予地震で観測された波の振幅を約３倍に拡大した波を用いた。。その結果、震動台の揺れによりこれらの家具は壁から外れることなく、全て転倒しなかった。本試験では、図１−３、図１−４、図１−５の方法で実験を行った。また、支柱部材と家具を直接ビスで固定する方法でも実験をおこなったが、家具は転倒しなかった。
【００５７】
同じ地震波での加振で実施した比較試験では、以下の固定具での固定では家具の転倒、固定具の破損が確認された。
【００５８】
床がフローリング、カーペットの場合、両方とも、家具と壁両方共に粘着する粘着式固定具（商品名「ガムロック」アイディールブレイン社製）では、壁面の石膏ボードが破損し、家具が転倒した。
【００５９】
床がフローリングで家具天板を上方約３０度の角度で固定するベルト式固定具（商品名「タンスガード」オシザワ社製）では、家具下部が滑り出て、家具が転倒した。
【００６０】
家具天板を上方から固定するプレート式固定具（商品名「スーパーＺ  ＳＺ−１５０」スガツネ社製）では、家具下部が滑り出て、家具が転倒、破損した。家具天面と天井面との間にはさみ、突っ張ることで固定するポール式固定具（商品名「マグニチュード７」葛飾福祉工場社製）では、ポールが外れ脱落した。
【図面の簡単な説明】
【００６１】
【図１−１】本発明の固定構造の実施形態を示す斜視図である。
【図１−２】本発明の固定構造の実施形態を示す斜視図である。
【図１−３】本発明の固定構造の実施形態を示す斜視図である。
【図１−４】本発明の固定構造の実施形態を示す斜視図である。
【図１−５】本発明の固定構造の実施形態を示す斜視図である。
【図１−６】本発明の固定構造の実施形態を示す斜視図である。
【図２】本発明の固定装置の支柱部材を固定した壁面の床側端部周辺を示す断面模式図である。
【図３】本発明の固定装置の支柱部材を固定した壁面の天井側端部周辺を示す断面模式図である。
【図４】本発明の固定装置の支柱部材の実施形態を示す図である。
【図５】本発明の固定方法の実施形態を示す上面図である。
【符号の説明】
【００６２】
１  木下地
２  石膏ボード
３，３’  家具
４  家具の側面
５，５’  支柱部材
５Ａ  器物固定片
５Ｂ  壁面固定片
５ａ，５ｂ，５ｃ  孔
６  壁面
７  ベルト
８  ワイヤー
９  連結部材
１０  家具の上面
１１  Ｌ字金具
１２  ベルト
２１  床仕上げ
２２  巾木
２３  ビス
２４  スタッド
２５  ランナー
２６  ベースベニア材
３１  野縁
３２  廻り縁
３３  天井仕上げ
【図１−１】
0004711340.tif 000002
【図１−２】
0004711340.tif 000003
【図１−３】
0004711340.tif 000004
【図１−４】
0004711340.tif 000005
【図１−５】
0004711340.tif 000006
【図１−６】
0004711340.tif 000007
【図２】
0004711340.tif 000008
【図３】
0004711340.tif 000009
【図４】
0004711340.tif 000010
【図５】
0004711340.tif 000011